(57)【要約】【課題】セキュリティ用途でありながら、コストが高くなりすぎず、また、実際の使用者（発側、着側）の利便性が高いセキュリティ用封筒を提供する。【解決手段】セキュリティ用封筒１０は、折り畳まれて袋形状の封筒部１１となる上側及び下側封筒片１１ａ，１１ｂと、封筒部１１の上側に形成された粘着層１２と、粘着層１２の上側に配置され、その粘着層１２を用いて封筒部１１を封緘する透明基材１３と、透明基材１３の上側に配置され発側の控えとなる発側控え片１４と、透明基材１３の上側に配置され着側の控えとなる着側控え片１５と、封筒部１１と粘着層１２との間に配置され、粘着層１２の一部の粘着力を保護するセパレータ１６と、発側控え片１４に記載した情報を、上側封筒片１１ａ及び／又は下側封筒片１１ｂに選択的に複写する裏カーボン１７と、透明基材１３と着側控え片１５とを剥離可能に接着する擬似接着構造１８等とを備える。【選択図】図１
2005104558.tif 000002
【特許請求の範囲】
【請求項１】
折り畳まれて袋形状の封筒部となる上側及び下側封筒片と、
前記封筒部の上側に形成された粘着層と、
前記粘着層の上側に配置され、その粘着層を用いて前記封筒部を封緘する基材層と、
前記基材層の上側に配置され発側の控えとなる発側控え片と、
前記基材層の上側又は下側に配置され着側の控えとなる着側控え片と、
前記発側控え片に記載した情報を、前記上側封筒片及び／又は前記下側封筒片に選択的に複写する複写構造と、
を備えるセキュリティ用封筒。
【請求項２】
請求項１に記載されたセキュリティ用封筒において、
前記上側封筒片及び／又は前記下側封筒片は、前記着側控え片であること、
を特徴とするセキュリティ用封筒。
【請求項３】
請求項１又は請求項２に記載されたセキュリティ用封筒において、
前記粘着層の一部を保護するセパレータを前記封筒部と前記粘着層との間に備えること、
を特徴とするセキュリティ用封筒。
【請求項４】
請求項１から請求項３までのいずれか１項に記載されたセキュリティ用封筒において、
前記基材層及び／又は前記下側封筒片は、前記封筒部を開封するための開封予定線を備えること、
を特徴とするセキュリティ用封筒。
【請求項５】
請求項１から請求項４までのいずれか１項に記載されたセキュリティ用封筒において、
前記基材層に設けられた前記開封予定線は、前記着側控え片に覆われており、
前記着側控え片は、一部又は全面で剥離可能な擬似接着構造を介して前記基材層と接着されていること、
を特徴とするセキュリティ用封筒。
【請求項６】
請求項１から請求項５までのいずれか１項に記載されたセキュリティ用封筒において、
前記開封予定線は、前記封筒部の一部を切り離すように設けられていること、
を特徴とするセキュリティ用封筒。
【請求項７】
請求項１から請求項６までのいずれか１項に記載されたセキュリティ用封筒において、
前記上側封筒片及び／又は前記下側封筒片には、前記複写構造により、前記発側控え片及び／又は前記着側控え片と共通した識別番号又は識別記号が形成されること、
を特徴とするセキュリティ用封筒。
【請求項８】
請求項１から請求項７までのいずれか１項に記載されたセキュリティ用封筒において、
前記基材層は、透明又は半透明であること、
を特徴とするセキュリティ用封筒。
【発明の詳細な説明】
【技術分野】
【０００１】
本発明は、請求書、手形、小切手等の金券又はそれに類する貴重品を配達するときに使用する新規なセキュリティ用封筒に関するものである。
【背景技術】
【０００２】
従来、この種のセキュリティ用途の封筒は、所定の封筒に必要事項を記入した「専用伝票」又は「汎用伝票」をタック紙で貼り付けて使用していた（例えば、特許文献１）。
【０００３】
しかし、前述した従来の技術では、専用伝票は、数量が汎用伝票ほど多くないためコスト高となり、汎用伝票は、伝票の記載事項が汎用的であるため、枚数が無駄に多かったり、記載内容が外部から見えてしまったりして、セキュリティ用途としては、必ずしも適切なものではなかった。
【０００４】
また、前記いずれの場合でも、それらの伝票は、タック紙を介して封筒に貼り付けるようにしていたため、無駄なコストを生じさせていた。
ただし、セキュリティ用途の封筒は、当然コストよりもセキュリティ性が重視されるべきであるために、高価であっても、専用伝票を使用する場合が一般的であった。
【０００５】
【特許文献１】特開平８−２１４４号公報
【発明の開示】
【発明が解決しようとする課題】
【０００６】
本発明の課題は、セキュリティ用途でありながら、コストが高くなりすぎず、また、実際の使用者（発側、着側）の利便性が高いセキュリティ用封筒を提供することである。
【課題を解決するための手段】
【０００７】
本発明は、以下のような解決手段により、前記課題を解決する。なお、理解を容易にするために、本発明の実施例に対応する符号を付して説明するが、これに限定されるものではない。
請求項１の発明は、折り畳まれて袋形状の封筒部（１１）となる上側及び下側封筒片（１１ａ，１１ｂ）と、前記封筒部（１１）の上側に形成された粘着層（１２）と、前記粘着層（１２）の上側に配置され、その粘着層（１２）を用いて前記封筒部（１１）を封緘する基材層（１３）と、前記基材層（１３）の上側に配置され発側の控えとなる発側控え片（１４）と、前記基材層（１３）の上側又は下側に配置され着側の控えとなる着側控え片（１５）と、前記発側控え片（１４）に記載した情報を、前記上側封筒片（１１ａ）及び／又は前記下側封筒片（１１ｂ）に選択的に複写する複写構造（１７）と、を備えるセキュリティ用封筒である。
【０００８】
請求項２の発明は、請求項１に記載されたセキュリティ用封筒において、前記上側封筒片（１１ａ）及び／又は前記下側封筒片（１１ｂ）は、前記着側控え片（１５）であること、を特徴とするセキュリティ用封筒である。
【０００９】
請求項３の発明は、請求項１又は請求項２に記載されたセキュリティ用封筒において、前記粘着層（１２）の一部を保護するセパレータ（１６）を前記封筒部（１１）と前記粘着層（１２）との間に備えること、を特徴とするセキュリティ用封筒である。
【００１０】
請求項４の発明は、請求項１から請求項３までのいずれか１項に記載されたセキュリティ用封筒において、前記基材層（１３）及び／又は前記下側封筒片（１１ｂ）は、前記封筒部（１１）を開封するための開封予定線（ｍｃ）を備えること、を特徴とするセキュリティ用封筒である。
【００１１】
請求項５の発明は、請求項１から請求項４までのいずれか１項に記載されたセキュリティ用封筒において、前記基材層（１３）に設けられた前記開封予定線（ｍｃ）は、前記着側控え片（１５）に覆われており、前記着側控え片（１５）は、一部又は全面で剥離可能な擬似接着構造（１８）を介して前記基材層（１３）と接着されていること、を特徴とするセキュリティ用封筒である。
【００１２】
請求項６の発明は、請求項１から請求項５までのいずれか１項に記載されたセキュリティ用封筒において、前記開封予定線（ｍｃ）は、前記封筒部（１１）の一部を切り離すように設けられていること、を特徴とするセキュリティ用封筒である。
【００１３】
請求項７の発明は、請求項１から請求項６までのいずれか１項に記載されたセキュリティ用封筒において、前記上側封筒片（１１ａ）及び／又は前記下側封筒片（１１ｂ）には、前記複写構造（１７）により、前記発側控え片（１４）及び／又は前記着側控え片（１５）と共通した識別番号（ｂ）又は識別記号が形成されること、を特徴とするセキュリティ用封筒である。
【００１４】
請求項８の発明は、請求項１から請求項７までのいずれか１項に記載されたセキュリティ用封筒において、前記基材層（１３）は、透明又は半透明であること、を特徴とするセキュリティ用封筒である。
【発明の効果】
【００１５】
本発明によれば、発側控え片に記載した情報を、封筒部の上側封筒片及び／又は下側封筒片に選択的に複写する複写構造を設け、基材層で封筒部を封緘したので、封筒部自体に設けられる控えの改ざんを防止できるようになり、セキュリティ性を高めることができる。
【発明を実施するための最良の形態】
【００１６】
本発明は、セキュリティ用途でありながら、実際の使用者（発側、着側）の利便性が高いセキュリティ用封筒を提供するという目的を、封筒部となる部分は、封筒紙片を所定の形状に折り畳み、その上から全面を透明な基材で覆い、封緘することにより実現した。
【実施例】
【００１７】
以下、図面等を参照して、本発明の実施例について、さらに詳しく説明する。
図１は、本発明によるセキュリティ用封筒の実施例を模式的に示す図であって、図１（Ａ）は、構成を分解した状態の斜視図であり、図１（Ｂ）は、断面図であり、図１（Ｃ）〜（Ｅ）は、運用方法を模式的に示した図である。
本実施例によるセキュリティ用封筒１０は、封筒部１１と、粘着層１２と、透明基材（基材層）１３と、発側控え片１４と、着側控え片１５と、セパレータ１６と、裏カーボン（複写構造）１７と、着側開封用ミシン目（開封予定線）ｍｃ等とを備える。
【００１８】
封筒部１１は、上質紙からなる袋形状の封筒であり、上側封筒片１１ａと下側封筒片１１ｂとが折り畳まれて形成される。上側封筒片１１ａは、折り畳まれて下側封筒片１１ｂに重なった場合に、下側封筒片１１ｂにおける折り畳み辺以外の３端部（逆コの字形）が糊しろ部として表出するように、下側封筒片１１ｂよりも小さいサイズとなっている。
また、本実施例では、封筒部１１に、セキュリティ性の高い封入物、例えば、請求書、手形、小切手等の金券又はそれに類する貴重品を挿入するようにしてある。
【００１９】
粘着層１２は、封筒部１１の上側に形成され、前述した下側封筒片１１ｂの糊しろ部と剥離不可能に接着し、運用時まで使用されないそれ以外の部分は、セパレータ１６に覆われ、粘着力が保護されている。
【００２０】
透明基材１３は、粘着層１２の上側に配置され、粘着層１２と剥離不可能に接着し、粘着層１２を用いて封筒部１１を封緘するための透明な基材である。
なお、透明基材１３，粘着層１２及びセパレータ１６の３層部分は、その順に積層されている透明タック紙を用意し、セパレータ１６の周縁部を逆コの字型に剥がして用いると製造しやすい。
【００２１】
発側控え片１４は、ノーカーボントップ紙からなる発側の控えとなる片であり、着側控え片１５は、ノーカーボンボトム紙からなる着側の控えとなる片である。発側控え片１４は、着側控え片１５の上側に配置され、着側控え片１５は、透明基材１３の上側に配置されている。
発側控え片１４と着側控え片１５とは、ライン糊ａによって、左辺が綴じられており、着側控え片１５と透明基材１３とは、後述する擬似接着構造１８によって、略全面が綴じられている。
【００２２】
セパレータ１６は、封筒部１１と粘着層１２との間に配置され、前述した通り、粘着層１２の運用時まで使用しない部分の粘着力を保護するシートである。
【００２３】
裏カーボン１７は、セパレータ１６の粘着層１２と反対側の面に形成され、発側控え片１４に記載した情報を封筒片１１自体の控えとして、上側封筒片１１ａや下側封筒片１１ｂに選択的に複写する構造である。
上側封筒片１１ａには、裏カーボン１７によって、また、着側控え片１５には、ノーカーボン紙の機能により、発側控え片１４と共通した識別番号となるクラッシュ番号ｂが形成されている。
【００２４】
擬似接着構造１８は、粘着層と剥離層とからなる擬似的な接着構造であり、透明基材１３と剥離可能に接着し、透明基材１３と着側控え片１５とを綴じ合わせている。
【００２５】
着側開封用ミシン目ｍｃは、透明基材１３及び下側封筒片１１ｂに設けられ、着側で、封筒部１１を開封するための切り取り線である。透明基材１３の着側開封用ミシン目ｍｃは、下側封筒片１１ｂの糊しろ部の内側に設けられ、かつ、左端部は上下辺の端まで切り込まれている。下側封筒片１１ｂの着側開封用ミシン目ｍｃは、透明基材１３に設けられた左端部の着側開封用ミシン目ｍｃと重なる位置に設けられている。
また、透明基材１３に設けられた着側開封用ミシン目ｍｃは、配送時には、着側控え片１５に覆われ、目視不可能となる。
【００２６】
次に、本実施例によるセキュリティ用封筒１０の運用方法について説明する。
（１）発側で、図１（Ｂ）に示すように、矢印Ｆの方向に上側封筒片１１ａを折り畳んだ後に、発側控え片１４に必要事項を記入して、全枚目（着側控え片１５、上側封筒片１１ａ）に複写する。上側封筒片１１ａに複写された情報は、封筒部１１自体の控えとなる。
（２）セパレータ１６を剥がして、そのセパレータ１６に覆われていた粘着層１２を表出させる。
（３）粘着層１２を用いて封筒部１１自体の控えを透明基材１３でカバーすると共に、封筒部１１を封緘する。
（４）発側控え片１４に、配送担当者（例えば、ドライバー）のサインをもらい、このサインが次枚目（着側控え片１５）に複写される。
（５）発側で、発側控え片１４を剥がして保管する。
（６）図１（Ｃ）に示すように、配送担当者がセキュリティ用封筒１０を配送し、着側に渡す。
（７）図１（Ｄ）に示すように、着側で、着側控え片１５を剥がし、透明基材１３でカバーされた封筒部１１自体の控えを透かして確認する。
（８）その後、図１（Ｅ）に示すように、着側開封用ミシン目ｍｃを用い、左端部を切り離しながら、セキュリティ封筒１０を開封し、封入物を取り出す。
【００２７】
このように、本実施例によれば、以下のような種々の効果がある。
（１）セキュリティ性
着側開封用ミシン目ｍｃが着側控え片１５で保護されており、配達時のセキュリティ性（開封事故防止）と易開封性（簡便に開封可能）とを両立できる。
封筒部１１自体の控えを透明基材１３でカバーする構造となるため、汚れや改ざんを防止できる。
開封時に、封筒部１１の一部を切り離すように着側開封用ミシン目ｍｃを設けたので、封筒部１１が繰り返して使用されることを防止できる。
（２）複写可能
全枚目に共通の目視ナンバーを付すことが可能である。
着側の控え、封筒部１１自体への控えが簡単に設けられる。
発側と着側との控え片には、ノーカーボン紙を使用することにより、保管時に汚損しにくい構造である。
（３）安定性・作業性
着側控え片１５は、ラベル式伝票の技術を応用した擬似接着構造１８で貼付しており、剥離時のカールも少なく、安定して使用可能である。
着側で、着側控え片１５を剥がす動作の一環として、封筒部１１自体の控えを剥がすことになるため、作業に無駄がない。
【００２８】
（変形例）
以上説明した実施例に限定されることなく、種々の変形や変更が可能であって、それらも本発明の均等の範囲内である。
（１）上述した実施例では、上側封筒片１１ａを折り畳んでから、発側控え片１４に必要事項を記入する例で説明したが、上側封筒片１１ａを折り畳まない展開状態のまま、発側控え片１４に必要事項を記入し、その後に折り畳んでもよい。このようにすれば、封筒部１１の内部（下側封筒片１１ｂ）に複写情報が設けられるようになり、その情報が内部に保護されたまま配達できるため、偽造や改ざん等を防止できる。また、これらの条件は組み合わせて使用することが可能であり、例えば、クラッシュ番号ｂは、展開状態のまま設けて、封筒部１１の内部に複写させておき、発側で記入される情報は、折り畳んでから記入するようにして、封筒部１１の外部に露出させ、かつ、その上から透明基材１３で保護することにより、情報の偽造改ざんをより防止することも可能となる。
【００２９】
（２）着側控え片１５を省略し（上側封筒片１１ａや下側封筒片１１ｂに記載された封筒自体の控え片を着側控え片として流用する。）、発側控え片１４と透明基材１３とを擬似接着構造で剥離可能に一体化させてもよい。
（３）発側控え片１４と着側控え片１５とには、ノーカーボン紙を用いる例で説明したが、裏カーボンを複写構造として使用してもよい。
（４）着側開封用ミシン目ｍｃの位置や形状は、利用者の要求に沿って工夫してもよく、また、各封筒片の折り畳み片形状は矩形に限定されない。
【００３０】
（５）封筒片自体は一部ではなく、折り畳まれた状態で、全面が透明基材１３より小さくなるように構成してもよい。
（６）透明基材１３は、複写情報を保護する場合に用いるべきものであって、透明基材１３の貼り込まれる面が複写されない場合は、不透明なタック基材を使用してもよい。
（７）封筒部１１の内側の面に、暗色の着色層を形成してもよい。金券としてほとんど存在しない墨系インキ等でベタ印刷を施しておくことにより、目視によって簡単に、封入物の取り忘れを防止することができる。
（８）識別番号は、クラッシュ番号の例で説明したが、バーコード等の識別記号を用いてもよい。
【図面の簡単な説明】
【００３１】
【図１】本発明によるセキュリティ用封筒の実施例を模式的に示す図である。
【符号の説明】
【００３２】
１０  セキュリティ用封筒
１１  封筒部
１１ａ  上側封筒片
１１ｂ  下側封筒片
１２  粘着層
１３  透明基材
１４  発側控え片
１５  着側控え片
１６  セパレータ
１７  裏カーボン
ａ  ライン糊
ｂ  クラッシュ番号
ｍｃ  着側開封用ミシン目
【図１】
2005104558.tif 000003